(57)【要約】【課題】誤った部品の取り付けを軽減し、作業効率を改善できる光ピックアップの製造方法を提供する。【解決手段】１つの製造ラインで第１製品用及び第２製品用の光ピックアップを製造する光ピックアップの製造方法であって、前記第１製品用の光ピックアップは、基体と、着色剤又は蛍光剤を有する塗装を施した第１のカバー部品と、を備え、前記第２製品用の光ピックアップは、前記基体と、前記第１のカバー部品と同じ形状で、塗装を施していない第２のカバー部品と、を備え、前記光ピックアップを製造するに当たり、前記基体に前記カバー部品を取り付けるカバー取付工程を有し、前記カバー取付工程は、前記第１製品用の光ピックアップを製造する場合、前記基体に前記第１のカバー部品を取り付ける一方、前記第２製品用の光ピックアップを製造する場合、前記基体に前記第２カバー部品を取り付ける。【選択図】図２
2011034657.tif 000002
【特許請求の範囲】
【請求項１】
１つの製造ラインで第１製品用及び第２製品用の光ピックアップを製造する光ピックアップの製造方法であって、
前記第１製品用の光ピックアップは、基体と、着色剤又は蛍光剤を有する塗装を施した第１のカバー部品と、を備え、
前記第２製品用の光ピックアップは、前記基体と、前記第１のカバー部品と同じ形状で、塗装を施していない第２のカバー部品と、を備え、
前記光ピックアップを製造するに当たり、前記基体に前記カバー部品を取り付けるカバー取付工程を有し、
前記カバー取付工程は、前記第１製品用の光ピックアップを製造する場合、前記基体に前記第１のカバー部品を取り付ける一方、
前記第２製品用の光ピックアップを製造する場合、前記基体に前記第２カバー部品を取り付ける、
光ピックアップの製造方法。
【請求項２】
前記第１のカバー部品に施される塗装は、カーボンブラックを含有する、
請求項１に記載の光ピックアップの製造方法。
【請求項３】
前記第１のカバー部品に施される塗装は、フルオレセイン類の染料を含有する、
請求項１に記載の光ピックアップの製造方法。
【請求項４】
前記第１製品は、トレイローディング型又はスロットローディング型のドライブ装置であり、前記第２製品は、トップローディング型のドライブ装置である、
請求項１に記載の光ピックアップの製造方法。
【発明の詳細な説明】
【技術分野】
【０００１】
本発明は、光ディスクに対し記録、又は、再生を行う、光ピックアップの製造方法に関するものである。
【背景技術】
【０００２】
近年、光ディスクは多くの種類が開発されており、デジタルデータ、または映像、音楽等様々な情報の記録、再生に使用されている
光ディスクは記録層が樹脂で保護され、直接手で触れても情報の記録再生にあまり支障が無いため、フロッピー（登録商標）ディスク等の磁気ディスクのようにジャケットやカートリッジで保護されることなく裸の状態で取り扱われるのが普通である。
【０００３】
しかし保護層は樹脂であるので、金属等との接触により傷がつき、データが破壊される場合がある。つまり、光ディスクは、記録または再生する光ピックアップ装置の構成部材との接触し、傷が付く可能性がある。データの破壊、特にユーザが記録したデータの破壊は、バックアップ等での修復が不可能な場合が多々あり重大な問題になる場合がある。このため光ディスクを記録または再生する光ディスク装置ではこれを避けるための構成に注意をはらう必要がある。
【０００４】
光ピックアップ装置は光ディスクに対してレーザ光を照射し、これにより情報を記録再生する装置であり、光ディスクにもっとも近い位置に位置する。このためこの光ピックアップ装置による光ディスクに対する傷の防止は光ディスク装置の設計上もっとも留意すべき点の一つである。
【０００５】
従来の特許文献１には、従来技術による、光ディスク装置、および光ピックアップ装置のディスク傷防止の方法が記載されている。
【０００６】
特許文献１には、光ディスクに接触する可能性のある部材に対し、ウレタン樹脂、及びフッ素樹脂粉末を含む塗装を施すことによりディスクの傷を防止する構成が記載されている。
【０００７】
ウレタン樹脂、及びフッ素樹脂粉末は摺動性がよく、また光ディスクの保護層を構成する樹脂よりも軟らかいため、これが光ディスクに接触しても光ディスクに傷を付けることがない。
【０００８】
このため、光ディスク装置の構成部材で、光ディスクに接触する可能性のある金属部品等にウレタン樹脂、及びフッ素樹脂粉末を含む塗装を施すことによりディスクの傷を防止することができる。
【０００９】
近年、ノートＰＣやプレーヤーに使用される光ディスク装置では高さ方向の寸法規制が厳しく、光ディスクと金属部品の直接の接触を避けるための別部材を貼り付ける等の構成が難しい。この点、塗装であれば塗膜の厚さは数十μｍ程度なので、このような場合でも使用可能である。
【先行技術文献】
【特許文献】
【００１０】
【特許文献１】特許第４０９９０４４号公報
【発明の概要】
【発明が解決しようとする課題】
【００１１】
ところで、光ピックアップ装置は、レコーダ、ノートＰＣなどといった様々な種類の機器に搭載される。つまり、光ピックアップ装置は、様々な使用環境に適用する形で製造される。例えば、ＴＶに接続されて放送番組を記録するＢＤレコーダやＤＶＤレコーダでは、ノートＰＣと比べて高級感が重視されるため、トレイローディングタイプやスロットローディングのドライブ装置が設けられる。そのため、光ピックアップも、トレイローディングタイプやスロットローディングタイプのドライブ装置に適合する形で製造される。一方、ノートＰＣでは、業務で使用される観点から、トップローディングタイプのドライブ装置が設けられる。そのため、光ピックアップも、トップローディングタイプのドライブ装置に適合する形で製造される。
【００１２】
トレイローディングやスロットローディングではユーザはディスクを、ドライブから繰り出されたトレイに単に載せるか、またはドライブ自体に設けられた挿入口に挿入するだけで、ディスクは自動的にスピンドルモータのターンテーブルの所定の位置に正しく装着される。トップローディング方式ではユーザ自身がディスクをスピンドルモータのターンテーブル部分に直接装着する。このため、トップローディング方式ではローディング機構の構造がトレイローディングやスロットローディングとは大きく異なる。
【００１３】
このように、光ピックアップ装置は、様々な種類の機器に対応する形で製造される一方で、コスト削減の観点から、構成（形状等）が基本的に同じになるように製造される。また、光ピックアップ装置は、構成が基本的に同じであるため、共通の生産設備を用いて製造される。
【００１４】
ここで、トップローディングタイプのドライブ装置では、特許文献１のような光ディスクと接触する可能性のある部品（例えば、アクチュエータカバー）への塗装が必須にならない。これは、光ピックアップ装置への光ディスクの着脱がユーザ自身で行なわれるからである。つまり、光ピックアップ装置に光ディスクを着脱する際の傷防止は、ある程度、ユーザの注意に委ねられる。そのため、光ピックアップ装置の傷防止に対する対策は必ずしも必要にならない。
【００１５】
一方、トレイローディングタイプやスロットローディングタイプのドライブ装置では、特許文献１のように光ディスクと接触する可能性のある部品（例えば、アクチュエータカバー）への塗装が必要になる場合がある。これは、光ピックアップ装置の小型化の要請により、製品の高さ方向の寸法制限で、光ディスクを装着する際に、アクチュエータカバーとの接触を完全に避けることが困難になる場合が多いためである。
【００１６】
よって、光ピックアップ装置では、アクチュエータカバーのように部品の形状が同じであっても、搭載される製品によって、塗装が必要な場合と不必要な場合がでてくる。なお、様々な種類の機器に搭載される全ての部品に対して、塗装を施すことも考えられるが、このように全ての部品に塗装を施すことは、工数及びコストの観点から適切ではない。
【００１７】
このように、光ピックアップ装置は、コスト削減・小型化の要請により、製品に応じて、ある形状の部品が、塗装あり、又は、塗装なしの状態で、取り付けられる。そのため、複数の種類の製品に搭載される光ピックアップ装置を共通の生産設備で製造する場合、製造現場では、ある形状の部品が、塗装あり、又は、塗装なしの状態で混在することになる。
【００１８】
一般的に塗装といっても、乳白色またはグレー等の色調である。そのため、未塗装の部品と塗装済みの部品との識別は、難しい。
【００１９】
このため、光ピックアップ装置に対して、本来塗装済み部品を取り付ける際に、未塗装の部品を取り付けてしまう、また、その逆の間違いを起こすといった可能性がある。さらに、製造現場では、この部品の識別が必要になり、作業効率が低下するという問題点があった。
【００２０】
そこで本発明は、上記課題を解決するために、誤った部品の取り付けを軽減し、作業効率を改善できる光ピックアップの製造方法を提供することを目的とする。
【課題を解決するための手段】
【００２１】
すなわち、本発明は、１つの製造ラインで第１製品用及び第２製品用の光ピックアップを製造する光ピックアップの製造方法であって、前記第１製品用の光ピックアップは、基体と、着色剤又は蛍光剤を有する塗装を施した第１のカバー部品と、を備え、前記第２製品用の光ピックアップは、前記基体と、前記第１のカバー部品と同じ形状で、塗装を施していない第２のカバー部品と、を備え、前記光ピックアップを製造するに当たり、前記基体に前記カバー部品を取り付けるカバー取付工程を有し、前記カバー取付工程は、前記第１製品用の光ピックアップを製造する場合、前記基体に前記第１のカバー部品を取り付ける一方、前記第２製品用の光ピックアップを製造する場合、前記基体に前記第２カバー部品を取り付ける。
【発明の効果】
【００２２】
本発明によれば、光ピックアップに対して、誤った部品の取り付けを軽減できるとともに、作業効率を改善できる。
【図面の簡単な説明】
【００２３】
【図１】本実施の形態１に係る光ピックアップ装置の構成図
【図２】本実施の形態１に係る光ディスクの製造工程図
【発明を実施するための形態】
【００２４】
（実施の形態１）
本実施の形態に係る光ピックアップ装置１００の製造方法を説明する。
【００２５】
＜光ピックアップ装置１００の構成＞
図１は、実施の形態１における光ピックアップ装置の構成図である。光ピックアップ装置１００は、対物レンズ１１０、レンズアクチュエータ１２０、アクチュエータカバー１３０、及び、基体１４０を備える。
【００２６】
光ピックアップ装置１００は、ＤＶＤレコーダのドライブ装置に搭載される光ピックアップを示している。光ピックアップ装置１００は、ノートＰＣのドライブ装置に搭載されている光ピックアップに対して、コネクタの仕様を変更したものである。このため、光ピックアップ装置１００は、元々、ノートＰＣ用の制約の元に設計されたものである。つまり、ノートＰＣ用とＤＶＤ用では、基本的構成が同じであり、コネクタ等の一部の構成が異なる。また、アクチュエータカバー１３０には、課題等で説明した通り、塗装が施される。すなわち、ノートＰＣ用のアクチュエータカバーには、塗装は施されていない。なお、本実施の形態において、ノートＰＣのドライブ装置に搭載される光ピックアップを、ノートＰＣ用光ピックアップと称し、ＤＶＤレコーダのドライブ装置に搭載される光ピックアップを、ＤＶＤ用光ピックアップと称する。以下、ＤＶＤ用光ピックアップの構成を説明する。
【００２７】
光ピックアップ装置１００は、対物レンズ１１０を介して光ディスクにレーザ光を照射し、光ディスクから情報を読み出す、又は、光ディスクに情報を書き込む。対物レンズ１１０は、レーザ光が光ディスクのトラックに対して正確に集光するようにレンズアクチュエータ１２０により駆動される。
【００２８】
アクチュエータカバー１３０はレンズアクチュエータ１２０を保護するために設けられる。対物レンズ１１０は動作中、光ディスクに非常に近い位置に位置するため、これを駆動するレンズアクチュエータ１２０のカバーであるアクチュエータカバー１３０も光ディスクに非常に近い位置に位置している。
【００２９】
アクチュエータカバー１３０は高さの制約上、薄い金属板で作られ、塗装されている。アクチュエータカバー１３０に施された塗装は黒色である。塗装材料には、光ディスクとの接触により、光ディスクの傷つきを軽減するため、例えば、特許文献１に記載の材料が用いられる。また、塗装材料には、カーボンブラックが含有されている。これによって、塗装が黒色となる。なお、塗装していないアクチュエータカバーは、金属板が元々持つ色、例えば、銀色である。そのため、塗装したアクチュエータカバーと容易に見分が付く。なお、本実施の形態のアクチュエータカバーには、アルミが用いられている。
【００３０】
基体１４０は、製品の基礎となる部材である。光ピックアップ装置１００は、基体１４０に、様々な部品が取り付けられたものである。
【００３１】
＜ＤＶＤ用光ピックアップのアクチュエータカバーに塗装が施される理由＞
ＤＶＤレコーダは、映像を記録再生する装置であり、趣味、娯楽の領域で使用されるので、その使用感、形態は高級感が求められる。このため、ＤＶＤレコーダでは、光ピックアップ装置に対する光ディスクの装着が自動的に行われるトレイローディングタイプのドライブ装置が備えられる。しかし、前述のように元となった、ノートＰＣ用光ピックアップは、高さ方向の寸法が厳しく、特に対物レンズを駆動するレンズアクチュエータのカバーが光ディスクと非常に近い位置に設けられる。そのため、このトレイローディングタイプのドライブ装置では、アクチュエータカバーが光ディスクと接触してしまう可能性がある。つまり、装着される光ディスクとアクチュエータカバーの接触を避けることが困難である。よって、ＤＶＤレコーダのドライブ装置では、光ディスクとアクチュエータカバーの接触による傷防止を行なう必要がある。
【００３２】
特に、アクチュエータカバー１３０は高さの制約上、薄い金属板で作られているため、そのままでは光ディスクと接触した際、光ディスクに傷が付きやすい。よって、アクチュエータカバー１３０に塗装を施して、光ディスクに接触した際の光ディスクの傷を軽減する必要がある。
【００３３】
なお、ノートＰＣ用光ピックアップをＤＶＤ用光ピックアップに転用することで、金型を共用できるので、コスト削減に繋がる。また、アクチュエータカバーは、ノートPC用光ピックアップに使用されるものと、同一形状である。
【００３４】
ここでノートＰＣ用光ピックアップには、塗装が施されない。これは、ノートＰＣのドライブ装置が、トップローディング（筐体上部にドライブがあり、蓋が跳ね上がって開き、上からディスクをドライブ内に置くタイプのもの）であり、光ディスクの着脱はユーザ自身が行うため、光ディスクの傷防止はユーザの注意にある程度ゆだねられるからである。つまり、ノートＰＣ用光ピックアップには、傷防止に対する設計が完璧には求められない。このため、ノートPC用の光ピックアップではアクチュエータカバー１３０と同一の形状であるが、コストダウンのため、このような塗装は施されていない。このため見た目は、銀色である。
【００３５】
＜光ピックアップの製造方法＞
ＤＶＤ用の光ピックアップ装置１００とノートPC用の光ピックアップ装置はコネクタ部分を除き、同じ構成（形状）を持つため、同じ生産ラインで製造される。
【００３６】
図２は、ＤＶＤ用の光ピックアップ装置１００とノートＰＣ用の光ピックアップ装置の概略生産工程図である。図２のように、両者は大半が同じ部品を使用し、同じ工程で生産される。しかしながら、フレキシブルプリント基板の種類と、アクチュエータカバーの種類（塗装有り／無し）が異なる。
【００３７】
このため、生産工程内には両者の部品が混在し、アクチュエータカバーも、ＤＶＤ用光ピックアップ装置１００に用いられる塗装を施したものと、ノートPC用光ピックアップ装置に用いられる塗装を施していないものが混在する。
【００３８】
言うまでもなく、ＤＶＤ用の光ピックアップ装置１００には塗装を施したアクチュエータカバーを、ノートPC用の光ピックアップ装置には塗装を施していないアクチュエータカバーを取りつけなければならない。通常、傷防止用の塗装は乳白色またはグレー等の色調で、金属に塗装した場合、塗装していないものとの識別が難しいが、本実施例では、光ピックアップ装置１００のアクチュエータカバー１３０の塗装を黒色としているため、ノートＰＣ用の光ピックアップ用の塗装を施していない銀色のアクチュエータカバーとは容易に見分けが付き、誤って取り付けることがなく、識別のため、作業効率が低下することも無い。
【００３９】
以下かんたんに製造工程を説明する。
【００４０】
まず、工程１では、基体１４０に部品１を取り付ける。部品１には、例えば、対物レンズ１１０、レンズアクチュエータ１２０等が考えられる。
【００４１】
次に、工程２では、基体１４０にフレキシブルプリント基板を取り付ける。ＤＶＤ用の製品Ａである場合、コネクタタイプのＦＰＣを取り付ける。一方、ＰＣ用の製品Ｂである場合、通常ＦＰＣを取り付ける。
【００４２】
次に、工程３では、基体１４０に部品２を取り付ける。部品２には、例えば、検出レンズ、コリメートレンズ、各種プリズム等の光学部品等が考えられる。
【００４３】
次に、工程４では、基体１４０にアクチュエータカバーを取り付ける。ＤＶＤ用の製品Ａである場合、塗装品を取り付ける。一方、ＰＣ用の製品Ｂである場合、未塗装品を取り付ける。塗装品には、カーボンブラックが含有されている。
【００４４】
このようにして、製品Ａ及び製品Ｂの光ピックアップを製造する。
【００４５】
＜まとめ＞
本実施の形態では、１つの生産ラインでトレイローディング用及びトップローディング用の光ピックアップを製造する光ピックアップの製造方法であって、トレイローディング用の光ピックアップ１００は、基体１４０と、カーボンブラックを含有する塗装を施したアクチュエータカバー１３０と、を備え、トップローディング用の光ピックアップは、基体１４０と、アクチュエータカバー１３０と同じ形状で、塗装を施していないアクチュエータカバーと、を備え、光ピックアップ１００を製造するに当たり、基体１４０にアクチュエータカバーを取り付けるカバー取付工程を有し、カバー取付工程は、トレイローディング用の光ピックアップを製造する場合、基体１４０に、塗装を施したアクチュエータカバーを取り付ける一方、トップローディング用の光ピックアップを製造する場合、基体１４０に塗装を施していないアクチュエータカバーを取り付ける。
（他の実施の形態）
本発明の実施の形態として、実施の形態１を例示した。しかし、本発明は、これには限られない。そこで、本発明の他の実施の形態を以下まとめて説明する。なお、本発明は、これらには限定されず、適宜修正された実施の形態に対しても適用可能である。
【００４６】
本実施の形態では、塗装を施した部品と塗装を施していない部品を判別可能にするために、塗装にカーボンブラックを含有するようにした。しかし、これに限られず、赤色や青色等の各種染料や顔料を含有するようにしてもよい。また、塗装は異なる複数色を塗り分けるようにしてもよい。つまり、塗装には、着色剤を含んでいればよい。着色剤とは、物に着色するための材料である。
【００４７】
また、塗装は部品全体でなくても必要な部分だけに限定してもよい。この場合、塗装部分と未塗装部分の差異によるコントラストにより、より違いが際立ち、識別が容易になる効果も期待できる。
【００４８】
また、塗装に蛍光剤を含有するようにして、紫外線を照射した際の蛍光で判別するようにしてもよい。例えば、蛍光剤（蛍光増白剤）には、フルオレセイン類の染料を用いることができる。具体的に蛍光剤は、チバ・ジャパン社製の「ＴＩＮＯＰＡＬ  ＯＢ」を用いることが可能である。
【産業上の利用可能性】
【００４９】
本発明は、レコーダやノートＰＣなどに搭載されるドライブ装置の光ピックアップの製造に適用可能である。
【符号の説明】
【００５０】
１００    光ピックアップ装置
１１０    対物レンズ
１２０    レンズアクチュエータ
１３０    アクチュエータカバー
１４０    基体
【図１】
2011034657.tif 000003
【図２】
2011034657.tif 000004